(57)【要約】【課題】レンズ鏡筒に装着されるバリア機構の多重的に配置されるバリア羽根の組立作業を効率的に行えるようにしたバリア機構を提供する。【解決手段】レンズ鏡筒のベース手段２には、バリア羽根停止手段２ｃを突設し、バリア駆動ばね５の付勢力で開方向に付勢されたバリア羽根を、全開位置で制止する。第一副羽根手段６の外側の端辺部分に臨み、第一副羽根手段６の開動作に連動して第二副羽根手段７を開動作させるように第二副羽根手段７外側の端辺から第二副羽根開被連動部７ｃを突設する。この第二副羽根開被連動部７ｃに隣接した箇所から第二ガイド手段７ｅを突設する。この第二ガイド手段７ｅには、第二副羽根開被連動部７ｃより突出した自由端部側に、第一副羽根手段６外側の端辺部分に摺接して第一副羽根手段６を閉方向へ移動させるよう形成されたガイド斜面を設ける。【選択図】図６
2011123107.tif 000002
【特許請求の範囲】
【請求項１】
レンズ鏡筒のベース手段に、撮影用開口部を開閉自在に覆う複数のバリア羽根を装着して成るバリア機構において、
前記ベース手段に対して、軸受手段により開閉自由に支受された前記バリア羽根を構成するための主羽根手段と、
前記ベース手段に対して相対的に回転可能に装着されたバリア駆動手段と、
前記バリア駆動手段と前記主羽根手段との間に架設され、前記主羽根手段を開方向に付勢するためのバリア駆動ばねと、
前記主羽根手段に対して重ねられた状態で、前記ベース手段に対して、軸受手段により開閉自由に支受された前記バリア羽根を構成するための第一副羽根手段と、
前記第一副羽根手段に対して重ねられた状態で、前記ベース手段に対して、軸受手段により開閉自由に支受された前記バリア羽根を構成するための第二副羽根手段と、
前記バリア駆動ばねの付勢力で開方向に付勢された前記バリア羽根を、全開位置で制止するように、前記ベース手段に突設されたバリア羽根停止手段と、
前記第一副羽根手段の外側の端辺部分に臨み、前記第一副羽根手段の開動作に連動して前記第二副羽根手段を開動作させるように前記第二副羽根手段の外側の端辺から突設された第二副羽根開被連動部と、
前記第二副羽根開被連動部に隣接した箇所から突設され、前記第二副羽根開被連動部より突出した自由端部側に、前記第一副羽根手段の外側の端辺部分に摺接して前記第一副羽根手段を閉方向へ移動させるよう形成されたガイド斜面と、
を有することを特徴とするバリア機構。
【請求項２】
請求項１に記載されたバリア機構を備えることを特徴とする撮影装置。
【発明の詳細な説明】
【技術分野】
【０００１】
本発明は、フィルムカメラやデジタルカメラ等に備えられた撮影レンズを保護するために撮影光学系の前面側に配置され、撮影用開口部を開閉自在に覆うバリア機構及びバリア機構を有する撮影装置に関する。
【背景技術】
【０００２】
近年、カメラ等の光学機器には、光学系を構成するレンズ鏡筒の露出するレンズ面を塵埃または手指による汚損から保護するバリア機構（光学系バリア装置）を備えたものがある。
【０００３】
従来、レンズ鏡筒のバリア機構には、撮影光学系の前面側の撮影用開口部を開閉自在に覆うように一対のバリア羽根を装着したものが提案されている（例えば、特許文献１参照）。
【０００４】
このようなバリア機構では、これら一対のバリア羽根を、光軸を中心に回転するバリア駆動リングを備えた駆動機構によって開閉動作させるよう構成されている。
【０００５】
また、撮影レンズの画開が大きい、いわゆるワイドレンズのレンズ鏡筒では、レンズ前面の大きな開口を塞ぐために、厚み方向に３枚バリア羽根が重なるように並べて構成したバリア機構が提案されている（例えば、特許文献２参照）。
【先行技術文献】
【特許文献】
【０００６】
【特許文献１】特開平７―１５９８５６号公報
【特許文献２】特開２００７−１０２０８６
【発明の概要】
【発明が解決しようとする課題】
【０００７】
上述のような３枚のバリア羽根の組を一対用いたバリア機構では、全部で６枚のバリア羽根を同期して正確に開閉動作可能に構成するため構造が複雑であるので、組立作業に手間が掛かり、作業能率が低いという問題がある。
【０００８】
本発明の目的は、複数のバリア羽根が重なって鏡筒のレンズ開口が塞がれるようにしたバリア機構を、組み立て作業が容易になるように構成する。これによって、組み立て作業の能率が向上できるようにされたバリア機構及び撮影装置を提供することにある。
【課題を解決するための手段】
【０００９】
上記目的を達成するために、本発明のバリア機構は、レンズ鏡筒のベース手段に、撮影用開口部を開閉自在に覆う複数のバリア羽根を装着して成るバリア機構において、前記ベース手段に対して、軸受手段により開閉自由に支受された前記バリア羽根を構成するための主羽根手段と、前記ベース手段に対して相対的に回転可能に装着されたバリア駆動手段と、前記バリア駆動手段と前記主羽根手段との間に架設され、前記主羽根手段を開方向に付勢するためのバリア駆動ばねと、前記主羽根手段に対して重ねられた状態で、前記ベース手段に対して、軸受手段により開閉自由に支受された前記バリア羽根を構成するための第一副羽根手段と、前記第一副羽根手段に対して重ねられた状態で、前記ベース手段に対して、軸受手段により開閉自由に支受された前記バリア羽根を構成するための第二副羽根手段と、前記バリア駆動ばねの付勢力で開方向に付勢された前記バリア羽根を、全開位置で制止するように、前記ベース手段に突設されたバリア羽根停止手段と、前記第一副羽根手段の外側の端辺部分に臨み、前記第一副羽根手段の開動作に連動して前記第二副羽根手段を開動作させるように前記第二副羽根手段の外側の端辺から突設された第二副羽根開被連動部と、前記第二副羽根開被連動部に隣接した箇所から突設され、前記第二副羽根開被連動部より突出した自由端部側に、前記第一副羽根手段の外側の端辺部分に摺接して前記第一副羽根手段を閉方向へ移動させるよう形成されたガイド斜面と、を有することを特徴とする。
【発明の効果】
【００１０】
本発明によれば、複数バリア羽根を重ねるように組み立てる作業を容易かつ迅速にできるようにして、組み立て作業の能率が向上できるようにされたバリア機構及び撮影装置を提供することができるという効果がある。
【図面の簡単な説明】
【００１１】
【図１】本発明のバリア機構及び撮影装置の実施の形態に係わるバリア機構の分解斜視図である。
【図２】本実施の形態に係わるバリア機構を取り出して示す正面図である。
【図３】本実施の形態に係わるバリア機構におけるバリア閉状態を示す正面図である。
【図４】本実施の形態に係わるバリア機構におけるバリア開状態を示す正面図である。
【図５】本実施の形態に係わるバリア機構の拡大断面図である。
【図６】（ａ）は、本実施の形態に係わるバリア機構における複数のバリア羽根を組み付ける作業直前の要部を示す拡大斜視図である。（ｂ）は、本実施の形態に係わるバリア機構における複数のバリア羽根を組み付ける作業直後の要部を示す拡大斜視図である。
【図７】本発明のバリア機構及び撮影装置の実施の形態に係わる撮影装置（デジタルカメラ）における電源ＯＦＦ状態の外観を示す斜視図である。
【図８】本発明のバリア機構及び撮影装置の実施の形態に係わる撮影装置（デジタルカメラ）における電源ＯＮ状態の外観を示す斜視図である。
【発明を実施するための形態】
【００１２】
以下、本発明の実施の形態について図面を参照しながら説明する。
【００１３】
図７及び図８に示すように、本発明のバリア機構及び撮影装置の実施の形態に係わるデジタルカメラ１８は、撮影倍率を変更するズーム機構が設けられた撮影レンズ鏡筒１９を備える。
【００１４】
このデジタルカメラ１８の正面には、被写体の構図を決めるファインダ１６、測光測距を行う場合の光源の補助を行う補助光１５、ストロボ１７が配置されている。また、デジタルカメラ１８の上面には、レリーズボタン１２、電源切換えボタン１４、ズーム切換えスイッチ１３が配置されている。なお、図示しないが、デジタルカメラ１８の背面には、様々な機能切換えを行うための操作ボタンと、ＬＣＤより成るディスプレイ及びファインダ接眼部が配置されている。このディスプレイは、画像表示手段であり、メモリに保存された画像データやメモリーカードから読み込んだ画像データを画面上に表示する。
【００１５】
また、このデジタルカメラ１８の内部には、制御部を構成するＣＰＵ、ＲＯＭ、ＲＡＭが配置され、デジタルカメラ１８全体の制御系が構成されている。
【００１６】
この接触部は、ズームモーター駆動手段、フォーカスモーター駆動手段、シャッタ駆動手段、絞り駆動手段、ＣＣＤやＣＭＯＳ等の撮像素子、ストロボの駆動を制御する。
【００１７】
次に、本実施の形態に係るデジタルカメラ１８に備えられた撮影レンズ鏡筒１９に装着されたバリア機構について、図１乃至図６により説明する。
【００１８】
この撮影レンズ鏡筒１９では、撮影レンズ１が、撮影レンズ保持手段１０に外周を保持されている。図５に示すように、この撮影レンズ１を保持した撮影レンズ保持手段１０は、ベース手段２の中心に設けられている開口形状の撮影レンズ保持部２ｂに挿入される。そして、撮影レンズ保持手段１０は、撮影レンズ保持部２ｂの光軸方向後方の箇所を接着剤でベース手段２に接着固定されて組み付けられる。
【００１９】
この撮影レンズ鏡筒１９では、ベース手段２に組み込まれた撮影レンズ１の光軸方向前方に、バリア機構が配置されている。
【００２０】
このバリア機構では、ベース手段２の光軸方向前方側に回転可能に配置されたバリア駆動手段３の上に、撮影用開口部を開閉自在に覆う複数のバリア羽根である一対の主羽根手段４、一対の第一副羽根手段６及び第二副羽根手段７が配置されている。
【００２１】
このバリア機構では、主羽根手段４は樹脂製で、第一副羽根手段６及び第二副羽根手段７は金属製である。このように構成すると、撮影レンズ１からバリアカバー手段８の前面までの厚みを最小にでき、カメラを薄くできる。なお、第一副羽根手段６及び第二副羽根手段７は、樹脂で構成してもよい。
【００２２】
上述のように構成した場合には、バリアの機構の構成を簡素化でき、開口が大きくても鏡筒直径を小さくでき、さらに厚みも薄いバリア機構を提供することができる。
【００２３】
このバリア機構における主羽根手段４の基端部には、軸受手段を構成する円柱状の主羽根回転軸４ａが突設されている。この主羽根手段４は、主羽根回転軸４ａをベース手段２に設けられた軸受手段を構成するための軸孔であるバリア回転穴２ａに軸挿して、開閉自由に支受されている。
【００２４】
この主羽根手段４には、バリア被駆動手段４ｄが設けられており、バリア駆動手段３に具備されるバリア連動部３ｂと接することができるようになっている。
【００２５】
主羽根手段４と、バリア駆動手段３に設けられたスプリング保持手段３ａとの間には、これらを相互に引き寄せるように付勢する引張ばねであるバリア駆動ばね５が架設され、バリア羽根の開方向付勢手段が構成される。
【００２６】
この主羽根手段４には、主羽根回転柱４ａの真裏に軸受手段を構成するための回転軸手段４ｂが突設されている。
【００２７】
この主羽根手段４には、第一副羽根手段６と第二副羽根手段７とが順に重ねて配置される。さらに主羽根手段４の軸受手段を構成するための回転軸手段４ｂには、第一副羽根手段６に穿設された軸穴手段６ｃが軸着されると共に、第二副羽根手段７に穿設された軸穴手段７ａが軸着される。
【００２８】
このベース手段２には、光軸方向前方側に配置された各部材上に、バリアカバー手段８が固定され、その上からバリアキャップ手段９が取り付けられて、レンズ鏡筒が構成される。
【００２９】
このように構成されたレンズ鏡筒では、主羽根手段４の軸受手段を構成するための回転軸手段４ｂの先端部が、バリアカバー手段８に穿設された軸受手段を構成するための軸穴手段８ａに挿入されて回転自由に支受される。このように構成することにより、第一副羽根手段６と第二副羽根手段７は、それぞれの基端部の軸孔を回転軸手段４ｂに挿通することにより構成された軸受手段により支受される。これと共に、第一副羽根手段６と第二副羽根手段７は、主羽根手段４とバリアカバー手段８との間に重なった状態で挟持される。
【００３０】
このため、第一副羽根手段６と第二副羽根手段７とは、それぞれ何らかの動作で倒れ又はよじれた動作をした場合でも、互いに光軸方向でオーバーラップした部分で抑えられるので、回転軸手段４ｂ（軸受手段）から脱落するのを防止される。
【００３１】
なお、バリアカバー手段８に穿設された軸穴手段８ａは、バリアキャップ手段９によって覆われるので、外観を損なうことはない。
【００３２】
このレンズ鏡筒には、バリア機構を開閉操作するための駆動機構が設けられている。このバリア機構用の駆動機構は、ベース手段２に設けた筒追従手段１１を、図示しないカム環のカム溝に従動させるように臨ませて構成する。
【００３３】
このバリア機構用の駆動機構では、カム環の回転により鏡筒追従手段１１がカム溝に沿って従動することにより、ベース手段２が光軸方向へ移動される。
【００３４】
すると、このバリア機構用の駆動機構では、ベース手段２の光軸方向への移動に連動して、バリア駆動手段３が所定の場所で回転することにより、バリア羽根を開閉動作させるように構成されている。
【００３５】
次に、レンズ鏡筒に装着されたバリア機構の開閉動作について説明する。まず、バリア機構の閉動作について説明する。
【００３６】
バリア機構を閉動作する場合には、レンズ鏡筒に装着された、バリア機構用の駆動機構によって、バリア駆動手段３が図３中で反時計方向に回転され、バリア駆動ばね５のばね力により主羽根手段４も時計方向へ回転される。
【００３７】
すると、時計方向へ回転される主羽根手段４の先端に設けた第一副羽根閉連動部４ｃが、第一副羽根手段６の先端に設けた第一副羽根閉被連動部６ｂを押し操作して、第一副羽根手段６をバリア閉方向に回動するよう連動させる。
【００３８】
そして、第一副羽根手段６に設けられた第二副羽根閉連動部６ｄが、第二副羽根手段７に設けられている第二副羽根閉被連動部７ｂを押し操作して、バリア閉方向に回動するよう連動させる。このようにして、このバリア機構では、各バリア羽根に駆動力が順次伝達されて連動動作することにより、バリア機構が図２に示す閉状態に至る。なお、このバリア装置では、バリア閉状態において、バリア羽根のみを無理やり開くと、バリア駆動ばね５の付勢力でバリア羽根が自動的に閉状態に復帰する。
【００３９】
次に、このバリア機構のバリア羽根を開動作する場合について説明する。
【００４０】
バリア機構を開動作する場合には、レンズ鏡筒に装着されたバリア機構用の駆動機構がバリア駆動手段３を操作する操作力が解除される。
【００４１】
すると、バリア駆動手段３は、バリア駆動ばね５の付勢力によって時計方向に回転される。そして、時計方向に回転されたバリア駆動手段３は、そのバリア連動部３ｂを主羽根手段４に設けたバリア被駆動手段４ｄに圧接させて、主羽根手段４を反時計方向へ回転させる。
【００４２】
反時計方向へ回転された主羽根手段４は、その側面が第一副羽根手段６に設けた第一副羽根開被連動部６ａを押し操作して、第一副羽根手段６を押し広げるように移動させる。
【００４３】
さらに、移動操作される第一副羽根手段６は、その側面によって、第二副羽根手段７に設けた第二副羽根開被連動部７ｃを押して、第二副羽根手段７を開位置まで押し広げる。結果としてバリア羽根は、開状態に至る。
【００４４】
このとき第二副羽根開被連動部７ｃは、ベース手段２に突台状に突設したバリア羽根停止手段２ｃ（メカ的ストッパ）の制止側面に当接され、その動作が全開位置で制止される。
【００４５】
次に、上述のように構成されたバリア機構を組立てる作業を容易にするための手段について説明する。
【００４６】
このバリア機構の組み立てに当たっては、バリア羽根の開き状態で組立を行った方が、組み立て作業が容易である。
【００４７】
このバリア機構では、バリア駆動手段３の上で、主羽根手段４を組立てるときにバリア駆動ばね５を同時に組み込むこととなる。このため組み立て工程で、主羽根手段４は、ベース手段２に設けられたバリア羽根停止手段２ｃ（図４に図示）に当接させた状態にセットする。
【００４８】
次に、主羽根手段４の上から第一副羽根手段６を組み込むと、第一副羽根開被連動部６ａがバリア羽根停止手段２ｃに当接する状態となる。この状態で第二副羽根手段７を組み込もうとすると、第二副羽根開被連動部７ｃを第一副羽根開被連動部６ａとバリア羽根停止手段２ｃとの間に挟み込むように挿入するという困難な作業を強いられる。
【００４９】
そこで、この組み立て作業を容易にするため、第二副羽根手段７に誘い込み用のテーパー形状部が設けられた突片状に形成された第二ガイド手段７ｅを設ける。
【００５０】
そして、この組み立て作業に当たっては、図６に示すように、第二ガイド手段７ｅを、第一副羽根手段６の端面に設けた第二被ガイド手段６ｅに当接させた状態で、第二副羽根手段７を第一副羽根手段６の上から押さえ込むように組み付ける。
【００５１】
すると、第二ガイド手段７ｅの誘い込み形状に倣って第一副羽根手段６は、一旦バリア閉じ方向へ移動し、バリア羽根停止手段２ｃから第一副羽根開被連動部６ａが離脱し、それぞれの間に隙間が開き、その間に第二副羽根開被連動部７ｃが挿入される。
【００５２】
このように構成された多重式のバリア機構では、組立作業を容易にし、作業効率を向上することができる。
【００５３】
要するに、本実施の形態に係わるバリア機構を組立てる作業を容易にするための手段は、相互に重なるように配置されるバリア羽根部材の間で組み付け位置にガイドするためのガイド部材である第二ガイド手段７ｅを設けて構成されている。
【００５４】
この組立作業を容易にする手段は、ベース手段２に対して相対的に回転駆動されるバリア駆動手段３がバリア駆動ばね５を介して主羽根手段４を開操作するのに連動して、バリア羽根部材を開動作させるバリア機構に適用される。
【００５５】
本実施の形態に係わるバリア機構でバリア羽根を開状態とするときには、バリア駆動ばね５の付勢力によって、主羽根手段４を、略円筒状のベース手段２における中心線に対してラジアル方向外側へ向けて付勢する。
【００５６】
この主羽根手段４は、ベース手段２のレンズ用開口の中心側の所定部分を閉塞するものである。このため開動作する主羽根手段４は、そのラジアル方向外側の端辺を、第一副羽根手段６のラジアル方向外側の端辺から折曲して構成された第一副羽根開被連動部６ａに当接させた状態で開動作することにより、第一副羽根手段６を連動して開動作させる。
【００５７】
これと共に、第一副羽根手段６のラジアル方向外側の端辺は、第二副羽根手段７のラジアル方向外側の端辺から折曲して構成された第二副羽根開被連動部７ｃに当接させた状態で開動作することにより、第二副羽根手段７を連動して開動作させる。
【００５８】
このように構成されたバリア装置の開状態では、主羽根手段４のラジアル方向外側の端辺より外側に、第一副羽根手段６の第一副羽根開被連動部６ａが位置する。これと共に、このバリア装置の開状態では、第一副羽根手段６のラジアル方向外側の端辺より外側に第二副羽根手段７の第二副羽根開被連動部７ｃが位置することになる。
【００５９】
よって、このバリア装置の開状態では、主羽根手段４のラジアル方向外側の端辺から第一副羽根開被連動部６ａの厚さ分だけ、第一副羽根手段６のラジアル方向外側の端辺が迫り出す状態となる。これと共に、このバリア装置の開状態では、第一副羽根手段６のラジアル方向外側の端辺より第二副羽根開被連動部７ｃの厚さ分だけ、第二副羽根手段７のラジアル方向外側の端辺が迫り出す状態となる。
【００６０】
すなわち、このバリア装置の開状態では、主羽根手段４のラジアル方向外側の端辺から第一副羽根手段６のラジアル方向外側の端辺と、第二副羽根手段７のラジアル方向外側の端辺とが、順次階段状に迫り出す構造となる。
【００６１】
このバリア装置では、その開状態で、主羽根手段４、第一副羽根手段６及び第二副羽根手段７を開位置に保持し、それ以上ラジアル方向外側へ開くことを制止するため、ベース手段２にバリア羽根停止手段２ｃ（メカ的ストッパ）が突設されている。
【００６２】
このため、このバリア装置の開状態では、第二副羽根開被連動部７ｃが、ベース手段２に設けたバリア羽根停止手段２ｃに当接して、第二副羽根手段７、第一副羽根手段６及び主羽根手段４の開動作が制止される。
【００６３】
このように構成されたバリア装置の製造に当たっては、主羽根手段４に重ねて第一副羽根手段６を組み付けた状態で、さらに第一副羽根手段６に重ねて第二副羽根手段７を組み付ける組み立て工程がある。
【００６４】
この第二副羽根手段７を組み付ける組み立て工程では、バリア駆動ばね５が組み付けられている状態であるので、主羽根手段４及び第一副羽根手段６を開状態にして組み付け作業を行う。
【００６５】
この主羽根手段４及び第一副羽根手段６を開状態にして行う組み立て工程では、第一副羽根手段６のラジアル方向外側端辺が、ベース手段２のバリア羽根停止手段２ｃに圧接して隙間の無い状態となっている。
【００６６】
このため、この組み立て工程では、第一副羽根手段６のラジアル方向外側端辺と、第二副羽根手段７のラジアル方向外側端辺と、が共にベース手段２のバリア羽根停止手段２ｃに当接した状態で組み立て作業を行うことになる。
【００６７】
よって、この状態で第二副羽根手段７を第一副羽根手段６の上に重ねると、第二副羽根手段７の第二副羽根開被連動部７ｃが第一副羽根手段６の平面上に載ってしまう。このため、この作業工程では、第一副羽根手段６をバリア駆動ばね５の付勢力に抗してラジアル方向内側（中心側）へ移動させた状態で、第二副羽根手段７を組み付ける必要があり、この作業を繁雑にしている。
【００６８】
そこで、本実施の形態に係わるバリア装置では、第二副羽根手段７に第二ガイド手段７ｅを設けた、バリア機構を組立てる作業を容易にするための手段が構成されている。
【００６９】
このバリア機構を組立てる作業を容易にするための手段は、図６に示すように、第二副羽根手段７のラジアル方向外側端辺における第二副羽根開被連動部７ｃに隣接した箇所に第二ガイド手段７ｅを突設して構成する。
【００７０】
この第二ガイド手段７ｅは、第二副羽根手段７のラジアル方向外側端辺から第一副羽根手段６側に向けて、小矩形短片を直角に折曲して構成したものである。
【００７１】
この第二ガイド手段７ｅは、第二副羽根開被連動部７ｃよりも一回り大きな矩形片に形成する。さらに、第二ガイド手段７ｅにおける、第二副羽根開被連動部７ｃの自由端より延出した自由端部には、ラジアル方向外側へ向けて斜状に折り曲げることにより、ラジアル方向内側にガイド斜面が形成されている。すなわち、第二ガイド手段７ｅには、第二副羽根開被連動部７ｃより突出した自由端部側に、第一副羽根手段６外側の端辺部分に摺接して第一副羽根手段６を閉方向へ移動させるよう形成されたガイド斜面を形成する。
【００７２】
この第二ガイド手段７ｅのガイド斜面は、第二副羽根開被連動部７ｃの厚さ以上に渡る勾配を持つように形成され、第一副羽根手段６外側の端辺部分に摺接して第一副羽根手段６を閉方向へ移動させるように構成されている。
【００７３】
このように構成されたバリア機構を組立てる作業を容易にするための手段では、主羽根手段４及び第一副羽根手段６を開状態にして行う組み立て工程において、第一副羽根手段６に重ねるように第二副羽根手段７を押し当てる。（なお、このとき、第一副羽根手段６のラジアル方向外側端辺と、第二副羽根手段７のラジアル方向外側端辺とは、共にベース手段２のバリア羽根停止手段２ｃに当接した状態となっている。）
すると、第二副羽根手段７の第二ガイド手段７ｅのガイド斜面が、第一副羽根手段６のラジアル方向外側端辺に摺接して第一副羽根手段６をバリア駆動ばね５の付勢力に抗してラジアル方向内側へ移動する。
【００７４】
この動作により、第一副羽根手段６のラジアル方向外側端辺が、ベース手段２のバリア羽根停止手段２ｃからラジアル方向内側へ第二副羽根開被連動部７ｃの厚み以上の距離だけ離間する。
【００７５】
よって、第二副羽根開被連動部７ｃは、この第一副羽根手段６のラジアル方向外側端辺に隣接する位置に侵入して、適切な組み付け状態に至り、組み付け作業が完了する。
【００７６】
このように、バリア機構を組立てる作業を容易にするための手段では、組立作業を容易にし、作業効率を向上することができる。
【００７７】
次に、本実施の形態に係わるバリア機構を備えた撮影装置であるデジタルカメラにおいて、電源ＯＮから撮影終了までの動作について説明する。
【００７８】
このデジタルカメラ１８では、使用者が撮影装置の電源をＯＮにすると、ＣＰＵ４６がズームモーター駆動手段３０に指令を送り、鏡筒駆動モーターをＣＷ回転させる。その後、デジタルカメラ１８では、所定の動作が実行され、撮影レンズ鏡筒手段１９が撮影位置に移動したことが確認されたときに停止される。このときに、撮影レンズ鏡筒手段１９は、図７の状態から図８の状態へ移行する。
【００７９】
次に、このデジタルカメラ１８では、使用者がレリーズボタン１２をＯＮすると、測光が行われ、被写体の輝度情報が取得される。そしして、得られた輝度情報が既定の輝度より高輝度の場合に、このデジタルカメラ１８では、絞り手段３５を光軸内に侵入させるように制御して、入射光量を変化させる。
【００８０】
また、得られた輝度情報が既定の輝度より低輝度の場合に、このデジタルカメラ１８では、絞り手段３５の動作を行わず光軸より退避した状態に停止させる。
【００８１】
その後、このデジタルカメラ１８では、フォーカス手段４８を作動させて、被写体のピントが合う位置へ移動させ、そこで画像の取り込みを開始する。
【００８２】
次に、このデジタルカメラ１８では、シャッタ手段３３を開状態から閉状態へ移動させ、入射光量を遮り、画像取り込みを終了する。次に、このデジタルカメラ１８では、絞り手段３５を光軸から退避させ、フォーカス手段４８を初期位置に移動させて、撮影動作を終了する。
【００８３】
以上、本発明の好ましい実施の形態について説明したが、本発明は、前述した実施の形態に限定されるものでは無く、本発明の要旨を逸脱しない範囲で種々の形態を取り得ることは勿論である。
【符号の説明】
【００８４】
２    ベース手段
２ｂ  撮影レンズ保持部
３    バリア駆動手段
４    主羽根手段
４ｃ  第一副羽根閉連動部
４ｄ  バリア被駆動手段
５    バリア駆動ばね
６    第一副羽根手段
６ａ  第一副羽根開被連動部
６ｂ  第一副羽根閉被連動部
６ｄ  第二副班閉連動部
７    第二副羽根手段
７ｂ  第二副羽根閉被連動部
【図１】
2011123107.tif 000003
【図２】
2011123107.tif 000004
【図３】
2011123107.tif 000005
【図４】
2011123107.tif 000006
【図５】
2011123107.tif 000007
【図６】
2011123107.tif 000008
【図７】
2011123107.tif 000009
【図８】
2011123107.tif 000010